(57)【要約】【課題】光波長多重通信用のＡＷＧ光分波器は一定波長間隔の特定の波長だけで中間の波長の光に使えないため、光分波器以外に活用できないままでいた。この発明はＡＷＧ光分波器の共振波長を可変にして幅広い波長領域の光を分光可能とし、他の一種類以上の光学素子と組み合わせて様々な機能を有するフィルタや分光器として光測定器や各種光学回路に使える光部品にする事を目的としている。【解決手段】それぞれ入力光伝送路と出力光伝送路を有する左右のスラブ導波路を固定部とし、アレイ導波路回折格子をはさんだ左スラブ導波路の一部と右スラブ導波路の一部を本体より分離して可動部とした。ＡＷＧ分光フィルタの可動部を温度補償板もしくは圧電素子の少なくとも一方により中心線の方向に微小移動させると、共振波長が連続的に変化し、固定部の各入力光伝送路から入力した光が分光されて各出力光伝送路から出力される。【選択図】図１
2010243995.tif 000002
【特許請求の範囲】
【請求項１】
それぞれ入力光伝送路と出力光伝送路を有する左右のスラブ導波路を固定部とし、アレイ導波路回折格子をはさんだ左スラブ導波路の一部と右スラブ導波路の一部を本体より分離して可動部として中心線の方向に微小移動可能ならしめたＡＷＧ分光フィルタ。
【請求項２】
［請求項１］の可動部を、温度補償板により中心線の方向に微小移動可能ならしめた温度補償ＡＷＧ分光フィルタ。
【請求項３】
［請求項１］の可動部を、圧電素子により中心線の方向に微小移動可能ならしめた波長可変ＡＷＧ分光フィルタ。
【請求項４】
［請求項１］の固定部の左出力光伝送路と右出力光伝送路の同じ波長同士を光伝送路でそれぞれ相互に接続したＬＢＡＷＧ透過フィルタ。
【請求項５】
［請求項４］の光伝送路の表面に任意の間隔の格子をそれぞれ形成したＬＢＡＷＧ格子フィルタ。
【請求項６】
［請求項１］の固定部の左出力光伝送路と右出力光伝送路の同じ波長同士の間に任意の反射率の多層反射膜をそれぞれ形成したＬＢＡＷＧ反射フィルタ
【請求項７】
［請求項１］の固定部の左出力光伝送路と右出力光伝送路の同じ波長同士の間に偏光膜を配置したＬＢＡＷＧ偏光フィルタ。
【請求項８】
［請求項３］の固定部の左出力光伝送路と右出力光伝送路の同じ波長同士の間に半導体レーザ素子をそれぞれ配置した波長可変ＬＢＡＷＧスイッチフィルタ。
【請求項９】
［請求項２］の固定部の左出力光伝送路と右出力光伝送路の同じ波長同士の間に半導体レーザ素子をそれぞれ配置し、左入力光伝送路と右入力光伝送路の間に光方向性結合器を配置してリングレーザ構造にした波長安定化ＬＢＡＷＧ光送信器。
【請求項１０】
［請求項１］の固定部の左出力光伝送路と右出力光伝送路の少なくとも一方に受光素子アレイを配置したＡＷＧ分光器対。
【発明の詳細な説明】
【技術分野】
【０００１】この発明は光測定器や各種光回路に使用する光部品に関するものである。
【背景技術】
【０００２】  光波長多重通信用の光分波器として開発されたＡＷＧ光分波器はフィルタや分光器としての機能を有しているが、入力光伝送路と入出力光伝送路の位置が固定されているため、一定波長間隔の特定の波長だけで中間の波長の光に使えないため、長い間、光分波器以外に活用できないままでいた。
【発明の開示】
【発明が解決しようとする課題】
【０００３】  そこで、この発明はＡＷＧ光分波器の分光波長を可変にして幅広い波長領域の光を分光可能とし、他の光学素子と組み合わせて様々な機能を有するフィルタや分光器として光測定器や各種光回路に使える光部品にする事を目的としている。
【課題を解決するための手段】
【０００４】  そのための手段として、それぞれ入力光伝送路と出力光伝送路を有する左右のスラブ導波路を固定部とし、アレイ導波路回折格子をはさんだ左スラブ導波路の一部と右スラブ導波路の一部を本体より分離して可動部として中心線の方向に微小移動可能ならしめた。
【発明の効果】
【０００５】  ＡＷＧ分光フィルタの可動部を温度補償板や圧電素子などの適当な手段により中心線の方向に微小移動させると、分光される波長が連続的に変化し、固定部の各入力光伝送路から入力した光が各出力光伝送路から波長別に分光されて出力される。ループバック構造や多層反射膜や半導体レーザや受光素子や光方向性結合器などの一種類以上の光学素子と組み合わせると各種フィルタや分光器などの様々な機能を付加した光部品になり、それらの光部品を組み合わせてさらに高度な機能を有する光回路が実現できる。
【発明を実施するための最良の形態】
【０００６】  図１はＡＷＧ分光フィルタの一実施例であり、可動部１０１と固定部１０２とからなり、可動部１０１はアレイ導波路回折格子１０３をはさんだ左スラブ導波路の一部１０４と右スラブ導波路の一部１０５とから構成されている。固定部１０２の左スラブ導波路１０６には左入力光伝送路１０７と左出力光伝送路１０８、右スラブ導波路１０９には右入力光伝送路１１０と右出力光伝送路１１１が外部との接続用に構成されている。固定部１０２は台１１２上に固定されており、可動部１０１は固定部１０２と端面を密着しながら台１１２上を適当な手段により微小移動できる。【０００７】  固定部１０２の左入力光伝送路１０７から入力した右向きの光１１３は、左スラブ導波路１０６から可動部１０１の左スラブ導波路の一部１０４に入り、アレイ導波路回折格子１０３により分光されて、右スラブ導波路の一部１０５通って固定部１０２の右スラブ導波路１０９から右出力光伝送路１１１に波長別に分光されて出力される。この時、可動部１０１を適当な手段により台１１２上を中心線の方向に微小移動させると、分光波長が連続的に変化し、右出力光伝送路１１１に出力される光の波長が変えられる。ただし、波長間隔は変わらない。右入力光伝送路１１０から入力した左向きの光１１４の場合も同時に変化するから、同時に２本の光を分析できる。【０００８】  可動部１０１と台１１２の接触面のいずれか一方の面に微細な凹凸を付けておくと滑らかに移動できる。中心線の方向に複数の溝を形成しても摩擦抵抗を減らせる。可動部１０１と固定部１０２の端面も、光が通らない接触面のいずれか一方の面に微細な凹凸を付けておくと滑らかに移動できる。【０００９】  図２は温度補償ＡＷＧ分光フィルタの一実施例であり、ＡＷＧ分光フィルタの可動部２０１を温度補償板２０２で台２０３に固定している。ＡＷＧ分光フィルタの固定部２０４は台２０３に直接固定している。【００１０】ＡＷＧ分光フィルタの固定部２０４の左入力光伝送路２０５から入力した右向きの光２０６は、温度変化により全体が熱膨張すると、右出力光伝送路２０７に出力する波長が微小に変化する。しかし、温度補償板２０２の膨張係数が異なるために、ＡＷＧ分光フィルタの可動部２０１が中心線の方向に微小移動して、右出力光伝送路２０７に出力する波長を一定の誤差の範囲に保つ働きをする。これにより空調の無い野外でも、安定した分光ができる。右入力光伝送路２０８から入力した左向きの光２０９の場合も、同時に安定化されて左出力光伝送路２１０から出力される。【００１１】  古典光学系の分光器は空調の利いた実験室で使われているので、温度補償の必要が無かったが、野外での使用を前提とした携帯型分光器では、年間で数十度の気温差が生ずるから温度補償は必須であり、標準装備して他の微小移動機構と併用する事が望ましい。【００１２】  図３は波長可変ＡＷＧ分光フィルタの一実施例であり、ＡＷＧ分光フィルタの可動部３０１を圧電素子３０２で台３０３に固定している。ＡＷＧ分光フィルタの固定部３０４は台３０３に直接固定している。【００１３】  ＡＷＧ分光フィルタの固定部３０４の左入力光伝送路３０５から入力した右向きの光３０６は、右出力光伝送路３０７に波長���に出力されるが、圧電素子３０２に電圧を印加するとＡＷＧ分光フィルタの可動部３０１が中心線の方向に微小移動して、右出力光伝送路３０７に出力される波長が連続的に変えられる。右入力光伝送路３０８から入力した左向きの光３０９の場合も、左出力光伝送路３１０に出力して同時に変化する。印加電圧に光源と連動して交流信号を付加すると光チョッパになって、自然光の影響を除去できる。以後の実施例では「圧電素子」により微小移動させる方式を「波長可変」と表示する。【００１４】  図４は波長可変ＬＢＡＷＧ格子フィルタの一実施例であり、波長可変ＡＷＧ分光フィルタの固定部４０１の左出力光伝送路４０２と右出力光伝送路４０３の同じ波長同士を相互に光伝送路４０４で接続してループバック構造にし、光伝送路の表面に任意の間隔の格子４０５をそれぞれ形成してある。「ループバック構造」は「ＬＢ」と略記する。【００１５】  波長可変ＡＷＧ分光フィルタの固定部４０１の左入力光伝送路４０６から入力した入射光４０７は、右出力光伝送路４０３に分光されて下２本の格子４０５のある光伝送路４０４に出力されるが、表面の格子４０５により一部の波長成分が反射されて反射光４０８として左入力光伝送路４０６から逆向きに出る。残りが通過して左出力光伝送路４０２から再び分光されて右入力光伝送路４０９に合波されて、一定の波長間隔の透過光４１０だけが出力される。格子４０５は不要な波長成分を反射して除去する働きをする。波長可変ＡＷＧ分光フィルタの可動部４１１の圧電素子４１２に電圧を印加して中心線の方向に微小移動させると、波長間隔は一定のままで各波長だけを変えて透過光４１０が出力される。【００１６】格子４０５の間隔は一定である必要は無く、連続的に変化したり、数種類の間隔の組合せでもよく、各光伝送路４０４でそれぞれ異なってもよい。図４の上２本の格子４０５が無くて表面が平坦な光伝送路４１３の場合は入射光４０７が反射されない波長可変ＬＢＡＷＧ透過フィルタになる。ＡＷＧの格子間隔や出力光伝送路間隔が異なる複数個の波長可変ＬＢＡＷＧ透過フィルタを直列接続すると、それぞれに印加する電圧の組合せにより、特定の波長の透過光だけを電気的に選択して出力できる。選択する透過光の波長を短波長側から長波長側に順次切り替えて掃引すると光スペクトルアナライザになり、最も信号強度が大きくなる透過光の波長を印加電圧から計算すると光波長計になる。【００１７】  図５は波長可変ＬＢＡＷＧ反射フィルタの一実施例であり、波長可変ＡＷＧ分光フィルタの固定部５０１の左出力光伝送路５０２と右出力光伝送路５０３の間に、任意の反射率の多層反射膜５０４をそれぞれ形成してある。【００１８】  左入力光伝送路入力５０５に入力した入射光５０６は、一定の波長間隔の波長だけが右出力光伝送路５０３に分光されて出力されるが、多層反射膜５０４により一部が反射されて、元の光路を戻って左入力光伝送路５０５に逆向きの反射光５０７として戻る。多層反射膜５０４を透過した残りの透過光５０８は、左出力光伝送路５０２を通って右入力光伝送路５０９に合波されて出力される。波長可変ＡＷＧ分光フィルタの可動部５１０の圧電素子５１１に印加する電圧により、元に戻る波長を連続的��変えられる。多層反射膜５０４の反射率特性は各出力光伝送路でそれぞれ自由に設定できるから、任意の反射特性や透過特性の光フィルタが作れる。多層反射膜５０４の代わりに偏光膜を配置すると偏光フィルタになる。図４の格子と組み合わせて複雑な反射にすることも出来る。【００１９】  図６は波長可変半導体レーザ光源の実施例を示しており、波長間隔の異なる２個の左波長可変ＬＢＡＷＧ反射フィルタ６０１と右波長可変ＬＢＡＷＧ反射フィルタ６０２の間に、波長可変ＬＢＡＷＧ透過フィルタ６０３と半導体レーザアレイ６０４を直列に配置して台６０５上に配置してある。半導体レーザアレイ６０４の各半導体レーザ素子６０６は材料や成分比を変えて発振波長帯域を違えたものが順番に配列してあり、光軸に直角方向に移動して切り替えられる。左波長可変ＬＢＡＷＧ反射フィルタ６０１の反射膜６０７は反射率が全て１００％、右波長可変ＬＢＡＷＧ反射フィルタ６０２の反射膜６０８は全て反射率が５０％のハーフミラーにしてあり、右波長可変ＬＢＡＷＧ反射フィルタ６０２の右入力光伝送路には光ファイバ６０９が接続してある。【００２０】  半導体レーザ素子６０６から出たレーザ光６１０は、右波長可変ＬＢＡＷＧ反射フィルタ６０２の反射膜６０８により半分が透過されて光ファイバ６０９に出力される。残りのレーザ光６０８は反射されて、半導体レーザ素子６０６に戻る。そして波長可変ＬＢＡＷＧ透過フィルタ６０３を通って、左波長可変ＬＢＡＷＧ反射フィルタ６０１の反射膜６０７により反射され、再び波長可変ＬＢＡＷＧ透過フィルタ６０３を通って、元の半導体レーザ素子６０６に戻って発振が維持される。【００２１】  発振波長は左波長可変ＬＢＡＷＧ反射フィルタ６０１と右波長可変ＬＢＡＷＧ反射フィルタ６０２と波長可変ＬＢＡＷＧ透過フィルタ６０３の全部に共通する波長になり、それぞれに印加する電圧の組合せにより連続的に波長を変えられる。さらに、半導体レーザアレイ６０４の各半導体レーザ素子６０６を機械的に移動させて切り替えると、より広い波長帯域で発振させることが出来る。この構造の波長可変半導体レーザ光源を発振波長帯域を変えて複数個並列し、順番に発振させれば広帯域で連続的にレーザ光の波長を変えられる。【００２２】  図７は波長可変ＬＢＡＷＧスイッチフィルタの一実施例を示しており、ＡＷＧ分光フィルタの可動部７０１を圧電素子７０２で台７０３に固定し、ＡＷＧ分光フィルタの固定部７０４の左出力光伝送路７０５と右出力光伝送路７０６の間に半導体レーザアレイ７０７を配置した構造をしている。半導体レーザアレイ７０７の各半導体レーザ素子７０８は、左出力光伝送路７０５と右出力光伝送路７０６の同じ波長同士の内の必要とする波長分の間にそれぞれ配置されている。【００２３】  ＡＷＧ分光フィルタの固定部７０４の左入力光伝送路７０９から入力した入射光７１０は、右出力光伝送路７０６により分光されて、その波長に該当する半導体レーザ素子７０８に入る。この時、半導体レーザ素子７０８に電圧が印加されていなければ、入射光７１０は吸収されてしまうが、閾値以下の適当な電圧が印加されていると、入射光７１０は半導体レーザ素子７０８を通過して、左出力光伝送路７０５に入り、���入力光伝送路７１１に合波されて透過光７１２として出力される。半導体レーザ素子７０８は光スイッチとして機能し、各半導体レーザ素子７０８に印加する電圧をそれぞれ変える事により、透過光７１２の波長分布を何時でも自由に変えられる。ＡＷＧ分光フィルタの可動部７０１の圧電素子７０２に電圧を印加すると、半導体レーザ素子７０８に入る入射光７１０の波長を連続的に掃引できるから、各半導体レーザ素子７０８に印加する電圧との組合せにより、右入力光伝送路７１１から出力する透過光７１２の波長を選択しながら連続的に変えられる。【００２４】  半導体レーザ素子７０８に印加する電圧に、光源側と同期して交流信号を付加すると光チョッパとして機能し、自然光の影響を除去できる。各半導体レーザ素子７０８に印加する電圧を波長毎に変えてやると、透過率の波長特性を任意に設定する事ができる。図４の格子や図５の多層反射膜と組み合わせることも出来る。波長可変ＬＢＡＷＧ反射フィルタと直列接続すると反射スイッチフィルタとして機能し、反射率の波長特性を任意に設定する事ができる。【００２５】  図８は波長安定化ＬＢＡＷＧ光送受信器の一実施例を示しており、局側の光受信器８０１と光送信器８０２と加入者側の光送受信器８０３を光ファイバ８０４で結んでいる。光受信器８０１は温度補償ＡＷＧ分光フィルタの固定部８０５の右出力光伝送路８０６に受光素子アレイ８０７を配置し、左入力光伝送路８０８に光方向性結合器８０９を接続している。【００２６】  光送信器８０２は温度補償ＡＷＧ分光フィルタの固定部８１０の左出力光伝送路８１１と右出力光伝送路８１２の同じ波長同士の間に、半導体レーザアレイ８１３を配置し、左入力光伝送路８１４と右入力光伝送路８１５の間に光方向性結合器８１６を配置してリングレーザ構造にしている。【００２７】  加入者側の光送受信器８０３は温度補償ＡＷＧ分光フィルタの固定部８１７の左出力光伝送路８１８と右出力光伝送路８１９の同じ波長同士の内の必要とする波長分の間に、半導体レーザ素子８２０と受光素子８２１を配置し、残りは相互に接続している。そして、左入力光伝送路８２２と右入力光伝送路８２３の間に光方向性結合器８２４を配置してリングレーザ構造にしている。【００２８】  局側の光送信器８０２の半導体レーザアレイ８１３の内の半導体レーザ素子８２５から出た下りのレーザ光８２６は、右出力光伝送路８１２から左入力光伝送路８１４に合波され、光方向性結合器８１６で一部が分かれて光ファイバ８０４に出力される。残りの下りのレーザ光８２６は、右入力光伝送路８１５から左出力光伝送路８１１に分波され、元の半導体レーザ素子８２５に戻ってレーザ発振が維持される。各半導体レーザ素子８２５はＤＦＢ半導体レーザのような特別な波長制御機構が不要で、一定の波長間隔でそれぞれ異なった波長で発振する。【００２９】  光ファイバ８０４から加入者側の光送受信器８０３に入力した下りのレーザ光８２６は、光方向性結合器８２４で一部が分かれて、右入力光伝送路８２３から左出力光伝送路８１８に分波され、受光素子８２１で光電変換されて電気信号になる。他の波長のレーザ光はそのまま右出力光伝送路８１９に入って左入力光伝送路８２２に合波さ���、光方向性結合器８１６で光ファイバ８０４に出力されて、波長が該当する光送受信器８０３まで通過して行く。【００３０】  加入者側の光送受信器８０３の半導体レーザ素子８２０から出た上りのレーザ光８２７は、左出力光伝送路８１８から右入力光伝送路８２３に合波され、光方向性結合器８２４で一部が分かれて光ファイバ８０４に出力される。残りの上りのレーザ光８２７は左入力光伝送路８２２から右出力光伝送路８１９に分波され、元の半導体レーザ素子８２０に戻ってレーザ発振が維持される。光ファイバ８０４を伝送して局側の光送信器８０２の光方向性結合器８１６に入力した上りのレーザ光８２７は、一部が分かれて左入力光伝送路８１４に入り、右出力光伝送路８１２に分波されて、そのまま左出力光伝送路８１８を通って右入力光伝送路８１５に合波されて、光方向性結合器８１６に戻り、再び光ファイバ８０４に出力される。次に、局側の光受信器８０１の光方向性結合器８０９で一部が分かれて左入力光伝送路８０８に入り、右出力光伝送路８０６に分波されて受光素子アレイ８０７の内の受光素子８２８で光電変換されて電気信号になる。加入者側の光送受信器８０３は波長の異なるものを直列接続すると何段でも増設できる。【００３１】  局側や加入者側で温度が変動しても、それぞれの温度補償機構が働いて、光受信器８０１や光送信器８０２や光送受信器８０３の共振波長を一定の誤差の範囲に保つので、特別な空調無しで安定して動作する。【００３２】  図９はＡＷＧ分光器対の実施例を示しており、波長可変ＡＷＧ分光フィルタの固定部９０１の左出力光伝送路９０２と右出力光伝送路９０３に受光素子アレイ９０４を配置してある。【００３３】  左光ファイバ９０５から波長可変ＡＷＧ分光フィルタの固定部９０１の左入力光伝送路９０６に入力した右向きの光９０７は、分光されて一定の波長間隔の光だけが右出力光伝送路９０３から波長毎に出力され、受光素子アレイ９０４の各受光素子９０８で光電変換される。波長可変ＡＷＧ分光フィルタの可動部９０９の圧電素子９１０に印加する電圧により各中心波長を変えられるから、印加電圧と各受光素子９０８の出力電圧を２次元表示すると光スペクトルアナライザになる。【００３４】右光ファイバ９１１から波長可変ＡＷＧ分光フィルタの固定部９０１の左入力光伝送路９１２に入力した左向きの光９１３も全く同じになる。例えば、双方向波長多重光通信では、右向きの光９０７を上りの光、左向きの光９１３を下りの光とすると、双方向の光スペクトルを同時に観測でき、チャンネル毎の占有状態を簡単にチェックできる。通常の分光分析では、右向きの光９０７を基準光、左向きの光９１３を測定光とすると、両者の光スペクトルを同時に比較でき、透過率や反射率を一度に測定できる。
【産業上の利用可能性】
【００３５】  ＡＷＧ分光フィルタとループバック構造や多層反射膜や半導体レーザアレイや受光素子アレイを組み合わせてできる様々な光部品を、さらに互いに組合せて高度な機能を有する光回路を形成し、従来の古典的光学装置と同等の機能を有する各種光回路を小型化できる。装置の厚さが非常に薄くなるので、光通信用送受信器や光測定器を小型軽量化でき、携帯化が容易である。各光部品のサイズや光伝送路の幅と位置を規格化する事により、光部品同士を接続してより複雑な光回路を形成するのが簡単に出来るようになる。
【図面の簡単な説明】
【００３６】
【図１】ＡＷＧ分光フィルタの平面図である。
【図２】温度補償ＡＷＧ分光フィルタの平面図である。
【図３】波長可変ＡＷＧ分光フィルタの平面図である。
【図４】波長可変ＬＢＡＷＧ格子フィルタの平面図である。
【図５】波長可変ＬＢＡＷＧ反射フィルタの平面図である。
【図６】波長可変半導体レーザ光源の平面図である。
【図７】波長可変ＬＢＡＷＧスイッチフィルタの平面図である。
【図８】波長安定化ＬＢＡＷＧ光送受信器の平面図である。
【図９】ＡＷＧ分光器対の平面図である。
【符号の説明】
【００３７】１０１  可動部
１０２  固定部
１０３  アレイ導波路回折格子
１０４  左スラブ導波路の一部
１０５  右スラブ導波路の一部
１０６  左スラブ導波路
１０７  左入力光伝送路
１０８  左出力光伝送路
１０９  右スラブ導波路
１１０  右入力光伝送路
１１１  右出力光伝送路
１１２  台
１１３  右向きの光
１１４  左向きの光
２０１  ＡＷＧ分光フィルタの可動部
２０２  温度補償板
２０３  台
２０４  ＡＷＧ分光フィルタの固定部
２０５  左入力光伝送路
２０６  右向きの光
２０７  右出力光伝送路
２０８  右入力光伝送路
２０９  左向きの光
２１０  左出力光伝送路
３０１  ＡＷＧ分光フィルタの可動部
３０２  圧電素子
３０３  台
３０４  ＡＷＧ分光フィルタの固定部
３０５  左入力光伝送路
３０６  右向きの光
３０７  右出力光伝送路
３０８  右入力光伝送路
３０９  左向きの光
３１０  左出力光伝送路
４０１  波長可変ＡＷＧ分光フィルタの固定部
４０２  左出力光伝送路
４０３  右出力光伝送路
４０４  光伝送路
４０５  格子
４０６  左入力光伝送路
４０７  入射光
４０８  反射光
４０９  右入力光伝送路
４１０  透過光
４１１  波長可変ＡＷＧ分光フィルタの可動部
４１２  圧電素子
４１３  表面が平坦な光伝送路
５０１  波長可変ＡＷＧ分光フィルタの固定部
５０２  左出力光伝送路
５０３  右出力光伝送路
５０４  多層反射膜
５０５  左入力光伝送路入力
５０６  入射光
５０７  反射光
５０８  透過光
５０９  右入力光伝送路
５１０  波長可変ＡＷＧ分光フィルタの可動部
５１１  圧電素子
６０１  左波長可変ＬＢＡＷＧ反射フィルタ
６０２  右波長可変ＬＢＡＷＧ反射フィルタ
６０３  波長可変ＬＢＡＷＧ透過フィルタ
６０４  半導体レーザアレイ
６０５  台
６０６  半導体レーザ素子
６０７  左波長可変ＬＢＡＷＧ反射フィルタの反射膜
６０８  右波長可変ＬＢＡＷＧ反射フィルタの反射膜
６０９  光ファイバ
６１０  レーザ光
７０１  ＡＷＧ分光フィルタの可動部
７０２  圧電素子
７０３  台
７０４  ＡＷＧ分光フィルタの固定部
７０５  左出力光伝送路
７０６  右出力光伝送路
７０７  半導体レーザアレイ
７０８  半導体レーザ素子
７０９  左入力光伝送路
７１０  入射光
７１１  右入力光伝送路
７１２  透過光
８０１  光受信器
８０２  光送信器
８０３  加入者側の光送受信器
８０４  光ファイバ
８０５  温度補償ＡＷＧ分光フィルタの固定部
８０６  右出力光伝送路
８０７  受光素子アレイ
８０８  左入力光伝送路
８０９  光方向性結合器
８１０  温度補償ＡＷＧ分光フィルタの固定部
８１１  左出力光伝送路
８１２  右出力光伝送路
８１３  半導体レーザアレイ
８１４  左入力光伝送路
８１５  右入力光伝送路
８１６  光方向性結合器
８１７  温度補償ＡＷＧ分光フィルタの固定部
８１８  左出力光伝送路
８１９  右出力光伝送路
８２０  加入者側の光送受信器の半導体レーザ素子
８２１  加入者側の光送受信器の受光素子
８２２  左入力光伝送路
８２３  右入力光伝送路
８２４  光方向性結合器
８２５  光送信器の半導体レーザ素子
８２６  下りのレーザ光
８２７  上りのレーザ光
８２８  光受信器の受光素子
９０１  波長可変ＡＷＧ分光フィルタの固定部
９０２  左出力光伝送路
９０３  右出力光伝送路
９０４  受光素子アレイ
９０５  左光ファイバ
９０６  左入力光伝送路
９０７  右向きの光
９０８  受光素子
９０９  波長可変ＡＷＧ分光フィルタの可動部
９１０  圧電素子
９１１  右光ファイバ
９１２  左入力光伝送路
９１３  左向きの光
【図１】
2010243995.tif 000003
【図２】
2010243995.tif 000004
【図３】
2010243995.tif 000005
【図４】
2010243995.tif 000006
【図５】
2010243995.tif 000007
【図６】
2010243995.tif 000008
【図７】
2010243995.tif 000009
【図８】
2010243995.tif 000010
【図９】
2010243995.tif 000011